(57)【要約】  ＤＭＢ基盤のユーザ要請テレマティックス・コンテンツ提供システム及び方法が開示される。該システムは、ＤＭＢ放送信号及びＤＭＢ放送信号にローディングされたコンテンツを受信して表示し、ユーザが要請するコンテンツに対する要請メッセージを生成するテレマティックス端末部、要請メッセージを介して要請されたコンテンツの種類を分析し、コンテンツ提供者から獲得されたユーザが要請したコンテンツを保存する要請情報分析部、及びコンテンツをＤＭＢ放送信号にローディングしてユーザに送出するＤＭＢ放送部から構成される。ユーザに差別化されたＤＭＢデータ放送サービスを支援し、限定された帯域幅上でそれぞれの要請を収集し、要請頻度数が高いサービスに広い帯域幅を割り当てることによって、サービス別伝送量を調節できるので、さらに効率的な帯域幅使用が可能となる。
2010511346.tif 000002
【特許請求の範囲】
【請求項１】
ＤＭＢ（Digital Multimedia Broadcasting）放送信号及び前記ＤＭＢ放送信号に込められたコンテンツを受信して表示し、ユーザが要請するコンテンツに対する要請メッセージを生成するテレマティックス端末部と、
前記要請メッセージを基に前記要請されたコンテンツの種類を分析し、前記ユーザが要請したコンテンツをコンテンツ提供者から獲得し、獲得したコンテンツを保存する要請情報分析部と、
前記獲得したコンテンツをＤＭＢ放送信号にローディングしてユーザに送出するＤＭＢ放送部と
を備えることを特徴とするＤＭＢ基盤のユーザ要請テレマティックス・コンテンツ提供システム。
【請求項２】
テレマティックス端末装置、テレマティックス・コンテンツ提供装置及びＤＭＢ放送装置を備えたＤＭＢ基盤のユーザ要請テレマティックス・コンテンツ提供システムにおける前記テレマティックス端末装置において、
ユーザから、前記ユーザが要請するコンテンツについての情報の入力を受け付ける要請情報入力部と、
前記入力された情報を基に要請メッセージを生成するメッセージ生成部と、
前記要請メッセージを前記テレマティックス・コンテンツ提供装置に送信するメッセージ送信部と、
前記ＤＭＢ放送装置から受信されたＤＭＢ放送信号からＤＭＢ信号及びコンテンツを分離する放送信号解析部と
を備えることを特徴とするテレマティックス端末装置。
【請求項３】
テレマティックス端末装置、テレマティックス・コンテンツ提供装置及びＤＭＢ放送装置を備えたＤＭＢ基盤のユーザ要請テレマティックス・コンテンツ提供システムにおける前記テレマティックス・コンテンツ提供装置において、
前記テレマティックス端末装置から要請メッセージを受信するメッセージ受信部と、
前記要請メッセージを基に、前記要請されたコンテンツの種類、前記ユーザの位置情報及び経路情報を含む要請情報を分析する要請情報解析部と、
前記要請されたコンテンツをコンテンツ提供者から受信するコンテンツ獲得部と、
前記受信したコンテンツと、前記ユーザの位置情報及び経路情報とを保存するコンテンツ保存部と
を備えることを特徴とするテレマティックス・コンテンツ提供装置。
【請求項４】
テレマティックス端末装置、テレマティックス・コンテンツ提供装置及びＤＭＢ放送装置を備えたＤＭＢ基盤のユーザ要請テレマティックス・コンテンツ提供システムにおける前記ＤＭＢ放送装置において、
前記ユーザの位置情報及び経路情報を基に、各地域別に前記コンテンツを区分するコンテンツ分類部と、
前記地域別に区分されたコンテンツをＤＭＢ放送信号に適するように新たなコンテンツに変換し、前記ＤＭＢ放送信号にローディングする信号変換部と、
前記新たなコンテンツがローディングされたＤＭＢ放送信号を前記ユーザに送出する信号送出部と
を備えることを特徴とするＤＭＢ放送装置。
【請求項５】
前記コンテンツは、車両速度、路面情報、交通量を含む交通情報、道路イベント情報（ＲＥＩ）、気象情報、ＰＯＩ（Point Of Service）情報、ガソリンスタンド価格情報、駐車場情報、監視カメラ位置情報、宿泊業所情報、リアルタイム・ニュース情報を含むことを特徴とする請求項２に記載のテレマティックス端末装置。
【請求項６】
前記コンテンツは、車両速度、路面情報、交通量を含む交通情報、ＲＥＩ情報、気象情報、ＰＯＩ情報、ガソリンスタンド価格情報、駐車場情報、監視カメラ位置情報、宿泊業所情報、リアルタイム・ニュース情報を含むことを特徴とする請求項３に記載のテレマティックス・コンテンツ提供装置。
【請求項７】
前記コンテンツは、車両速度、路面情報、交通量を含む交通情報、ＲＥＩ情報、気象情報、ＰＯＩ情報、ガソリンスタンド価格情報、駐車場情報、監視カメラ位置情報、宿泊業所情報、リアルタイム・ニュース情報を含むことを特徴とする請求項４に記載のＤＭＢ放送装置。
【請求項８】
前記要請メッセージは、要請メッセージ識別情報、ユーザ識別情報、ユーザの現在位置及び目的地情報、要請時間情報、要請コンテンツの種類を含むことを特徴とする請求項２に記載のテレマティックス端末装置。
【請求項９】
前記要請メッセージは、要請メッセージ識別情報、ユーザ識別情報、ユーザの現在位置及び目的地情報、要請時間情報、要請コンテンツの種類を含むことを特徴とする請求項３に記載のテレマティックス・コンテンツ提供装置。
【請求項１０】
前記メッセージ送信部は、ＣＤＭＡ（code division multiple access）通信網、Ｗｉｂｒｏ（wireless broadband Internet）通信網、ＨＳＤＰＡ（high-speed downlink packet access）通信網を介して、前記要請メッセージをＳＭＳ（short message service）またはＴＣＰ（transmission control protocol）形態で送信することを特徴とする請求項２に記載のテレマティックス端末装置。
【請求項１１】
前記信号変換部は、前記地域別に許容可能なＤＭＢ放送信号帯域幅に基づいて、前記ＤＭＢ放送信号に前記コンテンツをローディングし、前記ＤＭＢ放送信号をＴＰＥＧ（Transport Protocol Experts Group）データに変換することを特徴とする請求項４に記載のＤＭＢ放送装置。
【請求項１２】
テレマティックス端末装置、テレマティックス・コンテンツ提供装置及びＤＭＢ放送装置を備えたＤＭＢ基盤のユーザ要請テレマティックス・コンテンツ提供システムにおける前記テレマティックス端末装置において、
ユーザから、前記ユーザの出発地または現在位置並びに目的地情報、及び前記ユーザが要請するコンテンツについての情報の入力を受け付ける要請情報入力部と、
前記入力された情報に基づいて要請メッセージを生成するメッセージ生成部と、
前記生成された要請メッセージをＳＭＳまたはＴＣＰ形態で、前記テレマティックス・コンテンツ提供装置に伝送するメッセージ送信部と、
前記ＤＭＢ放送信号を受信する信号受信部と、
前記受信されたＤＭＢ放送信号から前記ユーザが要請したコンテンツを分離し、前記ユーザに提供する信号解析部と
を備えることを特徴とするテレマティックス端末装置。
【請求項１３】
テレマティックス端末装置、テレマティックス・コンテンツ提供装置及びＤＭＢ放送装置を備えたＤＭＢ基盤のユーザ要請テレマティックス・コンテンツ提供システムにおける前記テレマティックス・コンテンツ提供装置において、
前記テレマティックス端末装置から前記要請メッセージを受信する要請メッセージ受信部と、
前記要請メッセージから、前記ユーザの出発地または現在位置並びに目的地情報、及び前記ユーザが要請するコンテンツについての情報を分離する要請メッセージ解析部と、
前記要請されたコンテンツについての情報によって、要請回数をカウントする要請情報分類部と、
前記ユーザの出発地または現在位置から、前記目的地に移動する多重経路を生成する経路分析部と、
前記生成された経路による前記ユーザの位置を抽出し、圏域別またはリンク別に分類する位置分析部と、
前記要請回数、前記多重経路、前記圏域別またはリンク別分類、前記コンテンツについての情報、前記ユーザの等級を参照し、前記要請されたコンテンツの優先順位を付与する優先順位分類部と、
前記要請されたコンテンツ及び前記コンテンツに付与された優先順位を前記ＤＭＢ放送装置に伝送するコンテンツ送信部と
を備えることを特徴とするテレマティックス・コンテンツ提供装置。
【請求項１４】
テレマティックス端末装置、テレマティックス・コンテンツ提供装置及びＤＭＢ放送装置を備えたＤＭＢ基盤のユーザ要請テレマティックス・コンテンツ提供システムにおける前記ＤＭＢ放送装置において、
前記要請されたコンテンツ及びコンテンツに付与された優先順位を受信するコンテンツ受信部と、
前記ユーザの出発地または現在位置並びに目的地情報から、各地域別またはサービス別に前記コンテンツを分類するコンテンツ分類部と、
前記分類されたコンテンツを各地域別またはサービス別にＤＭＢ放送信号にローディングし、ＴＰＥＧデータに変換する信号変換部と、
前記変換されたＤＭＢ放送信号を送出する信号送出部と
を備えることを特徴とするＤＭＢ放送装置。
【請求項１５】
（ａ）ユーザが要請するコンテンツに対する要請メッセージを生成する段階と、
（ｂ）前記要請メッセージを基に前記要請されたコンテンツの種類を分析し、ユーザが要請したコンテンツをコンテンツ提供者から獲得し、このコンテンツを保存する段階と、
（ｃ）前記獲得したコンテンツをＤＭＢ放送信号にローディングしてユーザに送出する段階と
を含むことを特徴とするＤＭＢ基盤のユーザ要請テレマティックス・コンテンツ提供方法。
【請求項１６】
前記（ａ）段階は、
前記ユーザから、前記ユーザが要請するコンテンツについての情報の入力を受け付ける段階と、
前記入力された情報を基に要請メッセージを生成する段階と
を含むことを特徴とする請求項１５に記載のＤＭＢ基盤のユーザ要請テレマティックス・コンテンツ提供方法。
【請求項１７】
前記（ｂ）段階は、
前記要請メッセージを基に、前記要請されたコンテンツの種類と、前記ユーザの位置情報及び経路情報とを含む要請情報を分析する段階と、
前記要請されたコンテンツを前記コンテンツ提供者から取得する段階と、
前記取得したコンテンツと、前記ユーザの位置情報及び経路情報とを保存する段階と
を含むことを特徴とする請求項１５に記載のＤＭＢ基盤のユーザ要請テレマティックス・コンテンツ提供方法。
【請求項１８】
前記（ｃ）段階は、
前記要請メッセージ内の前記ユーザの位置情報及び経路情報を基に、前記取得したコンテンツを各地域別に区分する段階と、
前記地域別に区分されたコンテンツをＤＭＢ放送信号に適するように新たなコンテンツに変換し、前記ＤＭＢ放送信号にローディングする段階と、
前記新たなコンテンツがローディングされたＤＭＢ放送信号を前記ユーザに送出する段階と
を含むことを特徴とする請求項１５に記載のＤＭＢ基盤のユーザ要請テレマティックス・コンテンツ提供方法。
【請求項１９】
前記（ａ）段階は、
前記ユーザから、前記ユーザの出発地または現在位置並びに目的地情報、及び前記ユーザが要請するコンテンツについての情報を入力される段階と、
前記入力された情報に基づいて要請メッセージを生成する段階と、
前記生成された要請メッセージをＳＭＳまたはＴＣＰ形態で伝送する段階と
を含むことを特徴とする請求項１５に記載のＤＭＢ基盤のユーザ要請テレマティックス・コンテンツ提供方法。
【請求項２０】
前記（ｂ）段階は、
前記要請メッセージを受信する段階と、
前記要請メッセージから、前記ユーザの出発地または現在位置並びに目的地情報、及び前記ユーザが要請するコンテンツについての情報を分離する段階と、
前記要請されたコンテンツについての情報によって、要請回数をカウントする段階と、
前記ユーザの出発地または現在位置から、前記目的地に移動する多重経路を生成する段階と、
前記生成された経路による前記ユーザの位置を抽出し、圏域別またはリンク別に分類する段階と、
前記要請回数、前記多重経路、前記圏域別またはリンク別分類、前記コンテンツについての情報、前記ユーザの等級を参照し、前記要請されたコンテンツの優先順位を付与する段階と、
前記要請されたコンテンツ及び前記コンテンツに付与された優先順位を伝送する段階と
を含むことを特徴とする請求項１５に記載のＤＭＢ基盤のユーザ要請テレマティックス・コンテンツ提供方法。
【請求項２１】
前記（ｃ）段階は、
前記要請されたコンテンツ及びコンテンツに付与された優先順位を受信する段階と、
前記ユーザの出発地または現在位置並びに目的地情報から、各地域別またはサービス別に前記コンテンツを分類する段階と、
前記分類されたコンテンツを各地域別またはサービス別にＤＭＢ放送信号にローディングし、ＴＰＥＧデータに変換する段階と、
前記変換されたＤＭＢ放送信号を送出する段階と
を含むことを特徴とする請求項１５に記載のＤＭＢ基盤のユーザ要請テレマティックス・コンテンツ提供方法。
【発明の詳細な説明】
【技術分野】
【０００１】
本発明は、ＤＭＢ（Digital Multimedia Broadcasting）基盤のユーザ要請テレマティックス・コンテンツ提供システム及び方法に係り、さらに詳細には、ユーザ所望のコンテンツをＴＳＰ（Telematics Service Provider）に要請するためのメッセージの構造と、これを分析して要請されたコンテンツを提供するためのＴＳＰ及びＤＭＢセンタの構造とを提案し、これを介してユーザは、本人が望むコンテンツを要請して提供されることが可能であるコンテンツ提供システム及び方法に関する。
【０００２】
本発明は、情報通信部及び情報通信研究振興院のＩＴ新成長動力核心技術開発事業の一環として行われた研究から導き出されたものである［課題管理番号：２００５−Ｓ−１１５−０２、課題名：ＤＭＢ基盤のテレマティックス・プラットホーム技術開発］。
【背景技術】
【０００３】
最近、移動通信技術の目覚ましい発展によって、過去に外部と断絶されていた車両環境は、ＷＬＡＮ（Wireless Local Area Network）及びＣＤＭＡ（Code Division Multiple Access）車外無線通信装置を介して、だんだんと多様なテレマティックス・サービスを使用できるようになった。そして、テレマティックス・サービスのユーザは、経路案内サービス、位置基盤サービス及びエンターテインメント・サービスについて、オフライン形態で端末に保存されている情報を利用するよりも、車外移動通信網を利用し、リアルタイムで情報を提供されることを願っている。また、ＤＭＢ放送を介して、車両のように高速移動体内でも、安定的であって高品質のデジタルビデオ／オーディオ／データサービスが可能になり、これをテレマティックスと融合しようという動きが足早に展開されている。
【０００４】
本発明では、既存のＣＤＭＡ通信網で提供されているテレマティックス・コンテンツのうち、交通情報、気象情報、監視カメラ位置情報、ＰＯＩ（Point Of Service）情報など、個人化されておらず、不特定多数のユーザが共通に使用できるコンテンツを対象とする。既存のＣＤＭＡ通信網でテレマティックス・コンテンツを提供される場合に、個人化されており、自身に必要な情報のみを受けるために、あつらえ型テレマティックス・サービスが可能であるという長所を有しているが、かようなサービスを提供されるためには、個人が携帯している携帯電話と別途に、テレマティックス端末機のための通信モジュールを購入して維持せねばならない。また、テレマティックス・サービスを提供されるために、テレマティックス・サービス提供者（ＴＳＰ）とで頻繁に通信し、コンテンツをダウンロードしなければならない。そのため、ユーザは、高いデータの通信料金を負担しなければならない。
【０００５】
既存ＣＤＭＡの双方向通信は、基本的にＴＣＰ（Transmission Control Protocol）／ＩＰ（Internet Protocol）連結を前提とするために、同時に多数のユーザがアクセスするような場合に発生するトラフィック（traffic）を考慮しなければならないので、テレマティックス・サービスセンタでは、センタ内のシステム構築及び維持コストが増加してしまう。従って、低廉なテレマティックス・サービスのためには、通信チャンネルを多様化し、コンテンツの特性に合うように通信チャンネルを選択しなければならない。例えば、個人化されたサービスは、既存のＣＤＭＡ放送を使用する一方、交通情報、気象情報など、共通して多数のユーザが使用すると予想されるコンテンツについては、放送網を介して伝送することが望ましい。しかし、車両が陰影（shadow）地域に入り込めば、双方向通信の場合、中断後に再び再伝送が可能であるが、ＤＭＢ放送網は、通信を前提としているために、かようなメカニズム具現が不可能である。従って、放送網では、同じデータを一定周期で何回か再伝送し、完璧ではないものの、一定部分受信率を向上させられる。
【０００６】
既存のＤＭＢを介したテレマティックス・コンテンツ提供システムは、収集された交通情報をＴＰＥＧ（Transport Protocol Experts Group）メッセージに載せて端末に伝達するだけの役割を行っている。しかし、テレマティックス・コンテンツが多様化されるにつれて、限定された帯域幅をいくつかのサービスで共有しなければならない。また、差別化されたサービスを提供するために、ユーザの要請が多いコンテンツに対して帯域幅を割り当てる必要がある。
【０００７】
これにより、本発明の実施形態では、ユーザ所望のコンテンツをＴＳＰに要請するためのメッセージの構造と、これを分析してコンテンツに優先順位を付与し、要請されたコンテンツを提供するためのＴＳＰ及びＤＭＢセンタの構造とを提案し、これを介してユーザは、本人が望むコンテンツを要請して提供されることが可能となるものである。特に、現在のＤＭＢ放送を介したコンテンツ提供サービスの場合、ユーザ所望のコンテンツを提供されえない。しかし、本発明の実施形態では、個人が要請した情報を既存の放送される帯域幅の余裕分に載せて伝送することによって、帯域幅を効率的に使用すると同時に、地域別／サービス別に差別化されたサービスを提供できるようになる。
【０００８】
既存のＣＤＭＡ通信網で、交通情報、気象情報、ＰＯＩ情報のようなテレマティックス・コンテンツを提供される場合に、ＴＳＰとの頻繁な通信とコンテンツ・ダウンロードとが必要になり、これにより高いデータ通信料金が発生してしまう。衛星ＤＭＢ放送と地上波ＤＭＢ放送とが商用化されることによって、車両のような高速移動体内でも、ＤＭＢ放送を介して、安定的であって高品質のデジタルビデオ／オーディオ／データサービスが可能になり、これをテレマティックスと融合しようという動きが足早に展開されている。従って、既存のＣＤＭＡ通信網で提供されているテレマティックス・コンテンツのうち、混雑情報、道路イベント情報（ＲＥＩ）、安全運転情報、ニュース情報、ＰＯＩ情報など、個人化されずに、不特定多数のユーザが共通して使用できるコンテンツを、ＤＭＢ網のデータサービスチャンネルを利用して伝送しようとする努力が進行中であり、近い将来、このためのＴＰＥＧ ＴＴＩ（Traffic and Travel Information）スペックが標準化されて提供されようとしている。
【０００９】
従って、本発明は、既存にＴＰＥＧスペックに定義されている混雑情報、道路イベント情報、安全運転情報、ニュース情報、ＰＯＩ情報のようなテレマティックス・コンテンツをＤＭＢ放送網を介して伝送するとき、制限された放送帯域幅を最大限活用し、ユーザが要請した放送用テレマティックス・コンテンツをさらに伝送するための技術を提案しようとするものである。
【発明の開示】
【発明が解決しようとする課題】
【００１０】
本発明は、ＤＭＢ放送網を介してテレマティックス・コンテンツ（交通情報、道路イベント情報、安全運転情報、ＰＯＩ情報など）提供サービスを行うにおいて、多数のユーザが要請したデータを提供してサービスを差別化するシステム及び方法を提供する。
【課題を解決するための手段】
【００１１】
本発明の一態様では、ＤＭＢ基盤のユーザ要請テレマティックス・コンテンツ提供システムが提供される。このシステムは、ＤＭＢ放送信号及び前記ＤＭＢ放送信号に込められたコンテンツを受信して表示し、ユーザが要請するコンテンツに対する要請メッセージを生成するテレマティックス端末部、前記要請メッセージを介して前記要請されたコンテンツの種類を分析し、このコンテンツをコンテンツ提供者から獲得して保存する要請情報分析部、及び前記コンテンツを前記ユーザに提供するＤＭＢ放送信号にローディングして送出するＤＭＢ放送部を備える。
【００１２】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス端末装置は、ユーザから、前記ユーザが要請するコンテンツについての情報を入力される要請情報入力部、前記入力された情報を基に要請メッセージを生成するメッセージ生成部、前記要請メッセージを前記テレマティックス・コンテンツ提供装置に送信するメッセージ送信部、及び前記ＤＭＢ放送装置から受信されたＤＭＢ放送信号からＤＭＢ信号及びコンテンツを分離する放送信号解析部を備える。
【００１３】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス・コンテンツ提供装置は、前記テレマティックス端末装置から要請メッセージを受信するメッセージ受信部、前記要請メッセージを介して、前記要請されたコンテンツの種類、前記ユーザの位置情報及び経路情報を含む要請情報を分析する要請情報解析部、前記要請されたコンテンツをコンテンツ提供者から受け取るコンテンツ獲得部、及び前記コンテンツと、前記ユーザの位置情報及び経路情報とを共に保存するコンテンツ保存部を備える。
【００１４】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記ＤＭＢ放送装置は、前記ユーザの位置情報及び経路情報を介して、各地域別に前記コンテンツを区分するコンテンツ分類部、前記地域別に区分された新しいコンテンツをＤＭＢ放送信号に適するように変換し、前記ＤＭＢ放送信号にローディングする信号変換部、及び前記コンテンツが込められたＤＭＢ放送信号を前記ユーザが受信するように送出する信号送出部を備える。
【００１５】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス端末装置は、ユーザから、前記ユーザの出発地または現在位置並びに目的地情報、及び前記ユーザが要請するコンテンツについての情報を入力される要請情報入力部、前記入力された情報に基づいて要請メッセージを生成するメッセージ生成部、前記生成された要請メッセージをＳＭＳまたはＴＣＰ形態で、前記テレマティックス・コンテンツ提供装置に伝送するメッセージ送信部、前記ＤＭＢ放送信号を受信する信号受信部、及び前記受信されたＤＭＢ放送信号から前記ユーザが要請したコンテンツを分離し、前記ユーザに提供する信号解析部を備える。
【００１６】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス・コンテンツ提供装置は、前記テレマティックス端末装置から前記要請メッセージを受信する要請メッセージ受信部、前記要請メッセージから、前記ユーザの出発地または現在位置並びに目的地情報、及び前記ユーザが要請するコンテンツについての情報を分離する要請メッセージ解析部、前記要請されたコンテンツについての情報によって、要請回数をカウントする要請情報分類部、前記ユーザの出発地または現在位置から、前記目的地に移動する多重経路を生成する経路分析部、前記生成された経路による前記ユーザの位置を抽出し、圏域別またはリンク別に分類する位置分析部、前記要請回数、前記多重経路、前記圏域別またはリンク別分類、前記コンテンツについての情報、前記ユーザの等級を参照し、前記要請されたコンテンツの優先順位を付与する優先順位分類部、及び前記要請されたコンテンツ及び前記コンテンツに付与された優先順位を前記ＤＭＢ放送装置に伝送するコンテンツ送信部を備える。
【００１７】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記ＤＭＢ放送装置は、前記要請されたコンテンツ及びコンテンツに付与された優先順位を受信するコンテンツ受信部、前記ユーザの出発地または現在位置並びに目的地情報から、各地域別またはサービス別に前記コンテンツを分類するコンテンツ分類部、前記分類されたコンテンツを各地域別またはサービス別にＤＭＢ放送信号にローディングしてＴＰＥＧデータに変換する信号変換部、及び前記変換されたＤＭＢ放送信号を送出する信号送出部を備える。
【００１８】
本発明の他の一態様では、ＤＭＢ基盤のユーザ要請テレマティックス・コンテンツ提供方法が提供される。この方法は、（ａ）ユーザが要請するコンテンツに対する要請メッセージを生成する段階と、（ｂ）前記要請メッセージを基に前記要請されたコンテンツの種類を分析し、ユーザが要請したコンテンツをコンテンツ提供者から獲得し、このコンテンツを保存する段階と、（ｃ）前記獲得したコンテンツをＤＭＢ放送信号にローディングしてユーザに送出する段階とを含む。
【発明の効果】
【００１９】
上記したように、本発明は、テレマティックス・コンテンツに関するユーザの要請を収集してこれを分析し、ＤＭＢデータ放送時に反映する。これによって、本発明は、ユーザに差別化されたＤＭＢデータ放送サービスを提供できる。また、本発明は、各要請を限定された帯域幅に関連して収集し、要請頻度数が高いサービスに広い帯域を割り当てることによって、サービス別の伝送率を調節できるので、さらに効率的な帯域幅使用が可能となる。
【００２０】
本発明の上記した特徴や他の特徴及び優位性は、添付された図面を引用した詳細な説明及び典型的な実施形態によってより明らかになるだろう。
【図面の簡単な説明】
【００２１】
【図１】本発明の望ましい一実施形態によるユーザ要請テレマティックス・コンテンツ提供システムの構造を示す図である。
【図２】図１のテレマティックス端末機構造を示す図である。
【図３】図１のユーザ要請情報分析システム構造を示す図である。
【図４】図１のＤＭＢセンタの構造を示す図面である。
【図５】本発明の望ましい一実施形態によるユーザの端末を中心にして示したフローチャートである。
【図６】本発明の望ましい一実施形態による要請情報分析過程を示したフローチャートである。
【図７】本発明の望ましい一実施形態による要請メッセージ構造を示す図である。
【図８】本発明の望ましい一実施形態によるユーザ要請テレマティックス・コンテンツ提供システムの構造を示すブロック図である。
【図９】本発明の望ましい一実施形態によるユーザ要請テレマティックス・コンテンツ提供方法を示すフローチャートである。
【図１０】図９の過程のうち、ユーザ端末端でなされる一連の過程を示すフローチャートである。
【図１１】図９の過程のうち、コンテンツ保存過程を示すフローチャートである。
【図１２】図９の過程のうち、放送信号送出過程を示すフローチャートである。
【発明を実施するための最良の形態】
【００２２】
本発明は、ＤＭＢ放送網を介してテレマティックス・コンテンツ（交通情報、道路イベント情報、安全運転情報、ＰＯＩ情報など）提供サービスを行うにおいて、多数のユーザが要請したデータを提供してサービスを差別化するシステム及び方法を提供する。
【００２３】
本発明の一態様では、ＤＭＢ基盤のユーザ要請テレマティックス・コンテンツ提供システムが提供される。このシステムは、ＤＭＢ放送信号及び前記ＤＭＢ放送信号に込められたコンテンツを受信して表示し、ユーザが要請するコンテンツに対する要請メッセージを生成するテレマティックス端末部、前記要請メッセージを介して前記要請されたコンテンツの種類を分析し、このコンテンツをコンテンツ提供者から獲得して保存する要請情報分析部、及び前記コンテンツを前記ユーザに提供するＤＭＢ放送信号にローディングして送出するＤＭＢ放送部を備える。
【００２４】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス端末装置は、ユーザから、前記ユーザが要請するコンテンツについての情報を入力される要請情報入力部、前記入力された情報を基に要請メッセージを生成するメッセージ生成部、前記要請メッセージを前記テレマティックス・コンテンツ提供装置に送信するメッセージ送信部、及び前記ＤＭＢ放送装置から受信されたＤＭＢ放送信号からＤＭＢ信号及びコンテンツを分離する放送信号解析部を備える。
【００２５】
また、前記メッセージ送信部は、ＣＤＭＡ通信網、Ｗｉｂｒｏ通信網、ＨＳＤＰＡ通信網を介して、前記要請メッセージをＳＭＳまたはＴＣＰ形態で送信することを特徴とする。
【００２６】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス・コンテンツ提供装置は、前記テレマティックス端末装置から要請メッセージを受信するメッセージ受信部、前記要請メッセージを介して、前記要請されたコンテンツの種類、前記ユーザの位置情報及び経路情報を含む要請情報を分析する要請情報解析部、前記要請されたコンテンツをコンテンツ提供者から受け取るコンテンツ獲得部、及び前記コンテンツと、前記ユーザの位置情報及び経路情報とを共に保存するコンテンツ保存部を備える。
【００２７】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記ＤＭＢ放送装置は、前記ユーザの位置情報及び経路情報を介して、各地域別に前記コンテンツを区分するコンテンツ分類部、前記地域別に区分された新しいコンテンツをＤＭＢ放送信号に適するように変換し、前記ＤＭＢ放送信号にローディングする信号変換部、及び前記コンテンツが込められたＤＭＢ放送信号を前記ユーザが受信するように送出する信号送出部を備える。
【００２８】
また、前記信号変換部は、前記地域別に許容可能なＤＭＢ放送信号帯域幅に基づいて、前記ＤＭＢ放送信号に前記コンテンツをローディングし、前記ＤＭＢ放送信号をＴＰＥＧデータに変換する。
【００２９】
また、前記コンテンツは、車両速度、路面情報、交通量を含む交通情報、工事状況を含む道路イベント情報、気象情報、ＰＯＩ情報、ガソリンスタンド価格情報、駐車場情報、監視カメラ位置情報、宿泊業所情報、リアルタイム・ニュース情報を含む。
【００３０】
また、前記要請メッセージは、要請メッセージ識別情報、ユーザ識別情報、ユーザ現在位置及び目的地情報、要請時間情報、要請コンテンツ種類を含む。
【００３１】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス端末装置は、ユーザから、前記ユーザの出発地または現在位置並びに目的地情報、及び前記ユーザが要請するコンテンツについての情報を入力される要請情報入力部、前記入力された情報に基づいて要請メッセージを生成するメッセージ生成部、前記生成された要請メッセージをＳＭＳまたはＴＣＰ形態で、前記テレマティックス・コンテンツ提供装置に伝送するメッセージ送信部、前記ＤＭＢ放送信号を受信する信号受信部、及び前記受信されたＤＭＢ放送信号から前記ユーザが要請したコンテンツを分離し、前記ユーザに提供する信号解析部を備える。
【００３２】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記テレマティックス・コンテンツ提供装置は、前記テレマティックス端末装置から前記要請メッセージを受信する要請メッセージ受信部、前記要請メッセージから、前記ユーザの出発地または現在位置並びに目的地情報、及び前記ユーザが要請するコンテンツについての情報を分離する要請メッセージ解析部、前記要請されたコンテンツについての情報によって、要請回数をカウントする要請情報分類部、前記ユーザの出発地または現在位置から、前記目的地に移動する多重経路を生成する経路分析部、前記生成された経路による前記ユーザの位置を抽出し、圏域別またはリンク別に分類する位置分析部、前記要請回数、前記多重経路、前記圏域別またはリンク別分類、前記コンテンツについての情報、前記ユーザの等級を参照し、前記要請されたコンテンツの優先順位を付与する優先順位分類部、及び前記要請されたコンテンツ及び前記コンテンツに付与された優先順位を前記ＤＭＢ放送装置に伝送するコンテンツ送信部を備える。
【００３３】
本発明の他の一態様では、テレマティックス端末装置、テレマティックス・コンテンツ提供装置及びＤＭＢ放送装置が備えられたＤＭＢ基盤のユーザ要請テレマティックス・コンテンツ提供システムにおける前記ＤＭＢ放送装置は、前記要請されたコンテンツ及びコンテンツに付与された優先順位を受信するコンテンツ受信部、前記ユーザの出発地または現在位置並びに目的地情報から、各地域別またはサービス別に前記コンテンツを分類するコンテンツ分類部、前記分類されたコンテンツを各地域別またはサービス別にＤＭＢ放送信号にローディングしてＴＰＥＧデータに変換する信号変換部、及び前記変換されたＤＭＢ放送信号を送出する信号送出部を備える。
【００３４】
本発明の他の一態様では、ＤＭＢ基盤のユーザ要請テレマティックス・コンテンツ提供方法が提供される。この方法は、ＤＭＢ放送装置。
【００３５】
また、前記（ａ）段階は、前記ユーザから、前記ユーザが要請するコンテンツについての情報の入力を受け付ける段階と、前記入力された情報を基に要請メッセージを生成する段階とを含む。
【００３６】
また、前記（ｂ）段階は、前記要請メッセージを基に、前記要請されたコンテンツの種類と、前記ユーザの位置情報及び経路情報とを含む要請情報を分析する段階と、前記要請されたコンテンツを前記コンテンツ提供者から取得する段階と、前記取得したコンテンツと、前記ユーザの位置情報及び経路情報とを保存する段階とを含む。
【００３７】
また、前記（ｃ）段階は、前記要請メッセージ内の前記ユーザの位置情報及び経路情報を基に、前記取得したコンテンツを各地域別に区分する段階と、前記地域別に区分されたコンテンツをＤＭＢ放送信号に適するように新たなコンテンツに変換し、前記ＤＭＢ放送信号にローディングする段階と、前記新たなコンテンツがローディングされたＤＭＢ放送信号を前記ユーザに送出する段階とを含む。
【００３８】
また、前記（ａ）段階は、前記ユーザから、前記ユーザの出発地または現在位置並びに目的地情報、及び前記ユーザが要請するコンテンツについての情報を入力される段階と、前記入力された情報に基づいて要請メッセージを生成する段階と、前記生成された要請メッセージをＳＭＳまたはＴＣＰ形態で伝送する段階とを含む。
【００３９】
また、前記（ｂ）段階は、前記要請メッセージを受信する段階、前記要請メッセージから、前記ユーザの出発地または現在位置並びに目的地情報、及び前記ユーザが要請するコンテンツについての情報を分離する段階、前記要請されたコンテンツについての情報によって、要請回数をカウントする段階、前記ユーザの出発地または現在位置から、前記目的地に移動する多重経路を生成する段階、前記生成された経路による前記ユーザの位置を抽出し、圏域別またはリンク別に分類する段階、前記要請回数、前記多重経路、前記圏域別またはリンク別分類、前記コンテンツについての情報、前記ユーザの等級を参照し、前記要請されたコンテンツの優先順位を付与する段階、及び前記要請されたコンテンツ及び前記コンテンツに付与された優先順位を伝送する段階を含む。
【００４０】
また、前記（ｃ）段階は、前記要請されたコンテンツ及びコンテンツに付与された優先順位を受信する段階、前記ユーザの出発地または現在位置並びに目的地情報から、各地域別またはサービス別に前記コンテンツを分類する段階、前記分類されたコンテンツを各地域別またはサービス別にＤＭＢ放送信号にローディングし、ＴＰＥＧデータに変換する段階、及び前記変換されたＤＭＢ放送信号を送出する段階を含む。
【００４１】
以下、添付された図面を参照しつつ、本発明の望ましい実施形態について詳細に説明する。本発明は、しかし、種々変形して実施され、ここに示す実施形態に限定されると解釈されるべきではない。むしろ、これらの実施形態の開示は、発明の思想を当業者に完全に伝えるために提供される。
【００４２】
図１は、本発明の望ましい一実施形態によるユーザ要請テレマティックス・コンテンツ提供システムの構造を示す図面である。図１を参照すれば、ユーザ要請テレマティックス・コンテンツ提供システムは、ＤＭＢ（Digital Multimedia Broadcasting）支援テレマティックス端末機１００、テレマティックス・サービス提供者（ＴＳＰ：Telematics Service Provider）１１０、ＤＭＢ放送センタ１２０を含んで構成される。
【００４３】
ＤＭＢ支援テレマティックス端末機１００は、コンテンツ要請メッセージを生成し、これをＴＳＰ１１０に伝送する。ＴＳＰ１１０のユーザ要請情報分析システム１１５は、伝送されたコンテンツ要請メッセージを解析し、重要度順にユーザに伝送されるメッセージの優先順位を割り当てる。
【００４４】
ユーザ要請情報の分析結果は、ＤＭＢ放送センタ１２０に伝えられ、ＤＭＢ放送センタでは、現在放送されているテレマティックス・コンテンツにユーザから要請されたコンテンツを付加し、帯域幅が許す範囲内で地域別サービス別に伝送する。テレマティックス端末機１００は、ＤＭＢを介して伝送されたＴＰＥＧ（Transport Protocol Experts Group）メッセージを受信し、ユーザに情報を提供する。
【００４５】
図２は、図１のＤＭＢ支援テレマティックス端末機の構造を示す図面である。図２を参照すれば、このテレマティックス端末機は、要請情報入力部２０１、メッセージ送信部２０２、要請メッセージ生成部２０３、信号解析部２０４、信号受信部２０５を備えて構成される。
【００４６】
ＤＭＢ支援テレマティックス端末機１００は、要請情報入力部２０１を介してユーザの要請を受ける。要請情報入力部２０１は、ナビゲーションに統合された形態でも存在でき、別途のユーザ要請生成アプリケーションとして存在することも可能である。ユーザは、情報を提供を受けようとする出発地（または現在位置）と目的地との情報を入力し、要請する情報の種類を入力する。要請する情報によって、付加的に入力しなければならない情報が追加されることもある。
【００４７】
入力された情報を基に、要請メッセージ生成部２０３では、要請メッセージを生成し、生成されたメッセージをメッセージ送信部２０２を介して、ＳＭＳ（Short Message Service）やＴＣＰ（Transmission Control Protocol）などの形態でＴＳＰに伝送する。要請メッセージの内容は、プロトコルバージョン情報、ユースケースＩＤ並びにメッセージＩＤなどの要請プロトコル識別情報、要請するユーザ識別情報、位置情報（出発地または現在位置と目的地とで表示されたり、または要請する位置の座標や半径数ｋｍ以内の情報などで表示）、要請時間、要請しようとするコンテンツ項目、コンテンツによる細部項目などを明示して情報を要請する。
【００４８】
コンテンツ項目は、混雑情報、道路イベント情報（ＲＥＩ：Road Event Information）、ＰＯＩ（point of service）情報、ニュース情報などであり、混雑情報を要請する場合、細部項目として混雑情報が必要な道路の種類（高速道路、三車線以上など）を明示でき、予測情報である場合、時間を明示し、かつ何分以内までの予測情報を要請できる。ＰＯＩ情報も、要請しようとするＰＯＩ情報の種類を明示し、ガソリンスタンド情報であるか、宿泊業所情報であるかなどを項目として入れ、それによる細部項目を定義し、さらに細分化された要請を可能にする。また生成された要請メッセージは、ＣＤＭＡ（Code Division Multiple Access）、Ｗｉｂｒｏ（wireless broadband Internet）、又はＨＳＤＰＡ（High-Speed Downlink Packet Access）などを介して送信されることを示す情報を含む。
【００４９】
図３は、図１のユーザ要請情報分析システムの構造を示す図面である。図３を参照すれば、端末要請受信部３０１、要請メッセージ解析部３０２、要請優先順位分類器３１０、ユーザ要請Rule生成器３１１、放送センタ連繋システム３７０を備えて構成される。
【００５０】
端末から伝送された要請は、端末要請受信部３０１を経て要請メッセージ解析部３０２でデコーディングされる。
【００５１】
ユーザ要請情報分類器３０３では、要請された情報の種類によって、要請回数などをカウントする。ユーザ経路分析器３０４では、伝送された位置情報を基に多重経路を生成する。ユーザ位置分析器３０５は、ユーザが要請した情報の位置を抽出し、圏域別、リンク別に分類する。
【００５２】
このように詳細分析された要請情報は、要請統計情報３０６として構築され、該情報は、リアルタイムで受信されるテレマティックス・コンテンツ情報３０７、既存のヒストリーデータが分析された後で構築されるコンテンツ統計情報３０８、そしてユーザ等級などの付加情報３０９を参照して要請優先順位分類器３１０に入力される。
【００５３】
リアルタイム・テレマティックス・コンテンツ情報３０７がコンテンツ統計情報３０８と比較され、偏差が大きい場合には、突発的な事故が発生したことになる。この場合は、コンテンツ統計情報３０８は最優先で伝送される必要があるので、コンテンツ統計情報３０８の優先順位は高められる。
【００５４】
このように分類された要請の優先順位は、要請Rule生成器３１１を介して規則化してRule ＤＢ（DataBase）３２１に保存され、これは放送センタ連繋システム３７０を介してＤＭＢセンタに伝達される。
【００５５】
図４は、図１のＤＭＢセンタの構造を示す図面である。図４を参照すれば、ＤＭＢセンタ１２０は、ＴＳＰセンタ連繋システム４０１、ユーザ要請Rule適用部４０２、放送用コンテンツ分類器４０３、データ変換部４０５、放送送出部４０６を備えて構成される。
【００５６】
ＴＳＰセンタ連繋システム４０１は、ＴＳＰとＤＭＢセンタ１２０との間に発生する各種データを連繋し、ＤＭＢセンタ１２０で生成された各種データをＴＳＰへ伝送する。特に、このＴＳＰセンタ連繋システム４０１は、優先順位が決定されたユーザ要請RULEのリスト３１２と、ＤＭＢを介して放送されるリアルタイム・テレマティックス・コンテンツ３０７とを、認可されたＤＭＢセンタに伝達させる。その後、ユーザ要請の処理に対して課金する場合、このＴＳＰセンタ連携システム４０１は、ＴＳＰセンタと連携して処理する。
【００５７】
また、ＴＳＰセンタが要求する場合、ＴＳＰセンタ連携システム４０１は、ＴＳＰセンタに各地域別／サービス別に可用な帯域幅を伝送する。伝送されたユーザ要請Ruleは、ユーザ要請Rule適用部４０２によって、現在送信されている地域別／サービス別の帯域幅の余裕量を把握し、動的に放送スケジューリングを行う。該過程では、RULEは優先順位によって適用され、割り当てられた帯域幅の範囲内で、ユーザが要請した情報が既存の放送目録に追加される。
【００５８】
放送用コンテンツ分類器４０３は、各地域別／サービス別に放送されるテレマティックス・コンテンツを区分してローディングする。ローディングされたデータは、各地域の放送局に伝送され、データ変換部４０５によってサービス別にＴＰＥＧデータに変換され、地域別にＤＭＢ放送で放送送出部４０６によって送出される。
【００５９】
図５は、ユーザの端末を中心とした要請情報の処理を示す本発明の一実施形態に従うフローチャートである。
【００６０】
図５を参照すれば、ユーザがアプリケーションを使用して、現在経路上の交通情報やＰＯＩ情報、道路イベント情報を要請する（Ｓ５００）。前記端末は、コンテンツ要請メッセージを生成し（Ｓ５０１）、このメッセージをメッセージ送信部に伝送する（Ｓ５０２）、メッセージ送信部は、コンテンツ要請メッセージをＴＳＰセンタに送信し（Ｓ５０３）、ＴＳＰセンタは、受け取り結果を端末に知らせる（Ｓ５０４）。
【００６１】
前記コンテンツ要請メッセージ上で、リアルタイム経路分析及び統計データ分析が実行される（Ｓ５０５）。分析されたメッセージは、ＤＭＢセンタ１２０へ伝送され、前記要請結果が適用されたコンテンツは、各地域別にＴＰＥＧメッセージにローディングされて放送される（Ｓ５０８）。前記ＴＰＥＧメッセージは、端末の信号受信部によって解析される（Ｓ５０９）。ＴＰＥＧメッセージがデコーディングされてアプリケーションに伝送されれば、このアプリケーションは、受信コンテンツを解析して適切な形態で表示（DISPLAY）する（Ｓ５１１）。
【００６２】
図６は、本発明の一実施形態による要請情報分析過程を示したフローチャートである。
【００６３】
図６を参照すれば、ＴＳＰがメッセージを受信すると（Ｓ６０１）、このＴＳＰは受信したメッセージを解析し（Ｓ６０２）、コンテンツの種類と要請しようとする位置情報（Ｓ６０３）と、多重経路とを抽出する（Ｓ６０４）。これにより、ＴＳＰは要請されたリンクＩＤや地域情報を抽出する。
【００６４】
抽出された情報は、コンテンツ別／サービス別／圏域別に分類される（Ｓ６０５）。さらに、コンテンツ要請統計情報、リアルタイム情報を要請したユーザの等級、ヒストリー分析情報が前記分類された情報に反映され（Ｓ６０６）、優先順位が適用されたRULEが生成される（Ｓ６０７）。前記生成されたRuleとリアルタイム・コンテンツは、ＤＭＢセンタ１２０に伝送される（Ｓ６０８）。
【００６５】
図７は、本発明の一実施形態による要請メッセージ構造を示す図面である。
【００６６】
図７を参照すれば、この要請メッセージは、ヘッダ（header）と本体（body）とに区分される。
【００６７】
ヘッダは、プロトコルバージョン情報（version）、ユースケース（usecase）ＩＤ（例えば、交通情報要請ユースケースＩＤ、道路イベント（事故）情報要請ユースケースＩＤなど）、メッセージ（message）ＩＤ（ユースケース別に交換されるメッセージのＩＤ）、全体メッセージ長（message length）が含まれる。
【００６８】
本体部分は、要請発生時間（request timestamp）、要請メッセージ（request message）、位置情報（location）を含む。
【００６９】
要請メッセージは、さらに要請を受けようとするベアラタイプ（bearer type）を記述する。本発明では、要請メッセージはＴ−ＤＭＢ網を介して受け取られるので、これをベアラタイプ（bearer type）に明示し、要請メッセージサイズや要請メッセージデータから構成している。
【００７０】
要請メッセージデータは、それぞれ要請されるデータタイプ別に形態が分けられている。ＣＴＴ（混雑交通情報）が要請される場合は、ＣＴＴ Itemの詳細には、区間予測平均速度、区間予測通過時間、渋滞度が含まれる。Ｒｏａｄ Itemには、高速道路、地方道路、国道のような、道路のあらゆる種類情報が含まれる。LinkＩＤ Itemは、ノードリンク体系の種類が含まれる。すなわち、LinkＩＤ Itemは、建設交通部のノードリンク体系に従うか、自体定義されたノードリンク体系に従うかを明示する。
【００７１】
Region Itemは、要請しようとする情報の地域コードを含み、Present/Predict time Itemは、現在時点の情報が要請されているか、あるいは何分先の予測情報が要請されているかを記述する。
【００７２】
これと同じ方法で、安全運転情報（ＳＤＩ：Safety Driving Information） itemは、要請しようとするＳＤＩ情報の種類（過速危険地域、急カーブ地域など）や、どの地域情報が要請されているかを記述する。
【００７３】
位置（Location）情報は、要請された地域の位置情報、及び情報を得ようとする地域の位置情報を記述する。
【００７４】
図８は、本発明の一実施形態によるユーザ要請テレマティックス・コンテンツ提供システムの構造を示すブロック図である。図８を参照すれば、このシステムは、テレマティックス端末装置８００、テレマティックス・コンテンツ提供装置８１０、及びＤＭＢ放送装置８２０を備えている。
【００７５】
テレマティックス端末装置８００は、要請情報入力部８０１、メッセージ生成部８０２、メッセージ送信部８０３、放送信号解析部８０４を備えている。
【００７６】
要請情報入力部８０１は、前記ユーザの出発地または現在位置並びに目的地に関するユーザ情報、及び前記ユーザが要請するコンテンツについての情報を受け取る。
【００７７】
メッセージ生成部８０２は、前記受け取った情報に基づいて要請メッセージを生成する。メッセージ送信部８０３は、前記生成された要請メッセージをＳＭＳまたはＴＣＰ形態で、前記要請情報分析部に伝送する。
【００７８】
信号受信部８０４は、前記ＤＭＢ放送信号を受信する。信号解析部８０５は、前記受信されたＤＭＢ信号から前記ユーザが要請したコンテンツを分離し、前記ユーザに提供する。
【００７９】
テレマティックス・コンテンツ提供装置８１０は、コンテンツ保存部８１１、要請情報解析部８１２、メッセージ受信部８１３、コンテンツ獲得部８１４を備えている。
【００８０】
メッセージ受信部８１３は、前記テレマティックス端末装置８００から要請メッセージを受信する。
【００８１】
要請情報解析部８１２は、前記受信した要請メッセージに基づいて、前記要請されたコンテンツの種類及び前記ユーザの位置情報や経路情報を含む要請情報を分析する。
【００８２】
コンテンツ獲得部８１４は、前記要請されたコンテンツをコンテンツ提供者から受信する。
【００８３】
コンテンツ保存部８１１は、前記コンテンツと、前記ユーザの位置情報及び経路情報とを保存する。
【００８４】
ＤＭＢ放送装置８２０は、コンテンツ分類部８２１、信号変換部８２２、及び信号送出部８２３を備えている。
【００８５】
コンテンツ分類部８２１は、前記ユーザの位置情報及び経路情報を介して、各地域別に前記コンテンツを区分する。
【００８６】
信号変換部８２２は、前記地域別に区分されたコンテンツをＤＭＢ放送信号に適するような新たなコンテンツに変換し、前記ＤＭＢ放送信号にローディングする。信号送出部８２３は、前記新たなコンテンツが含まれるＤＭＢ放送信号を前記ユーザに送出する。
【００８７】
図９は、本発明の一実施形態によるユーザ要請テレマティックス・コンテンツ提供方法を示すフローチャートである。
【００８８】
図９を参照すれば、ユーザが要請するコンテンツに対する要請メッセージが生成される（Ｓ９００）。前記要請メッセージに基づいて要請されたコンテンツの種類が分析され、この要請されたコンテンツがコンテンツ提供者から獲得され、このコンテンツが保存される（Ｓ９１０）。
【００８９】
前記コンテンツは、ＤＭＢ放送信号にローディングされて前記ユーザに送出され（Ｓ９２０）、それによって要請されたテレマティックス・コンテンツがユーザに提供される。
【００９０】
図１０は、図９の方法のうち、ユーザ端末で実行される一連の工程を示すフローチャートである。
【００９１】
前記ユーザが、前記ユーザが要請するコンテンツについて情報を入力する（Ｓ１０００）。前記入力された情報を基に要請メッセージが生成され（Ｓ１０１０）、受信されたＤＭＢ放送信号からＤＭＢ信号及びコンテンツが分離される（Ｓ１０２０）。
【００９２】
図１１は、図９の方法のうち、コンテンツ保存工程を示すフローチャートである。
【００９３】
図１１を参照すれば、要請メッセージが受信される（Ｓ１１００）。ついで、前記要請メッセージを基に、前記要請されたコンテンツの種類、ユーザの位置情報及び経路情報を含む要請情報が分析される（Ｓ１１１０）。
【００９４】
前記要請されたコンテンツがコンテンツ提供者から取得される（Ｓ１１２０）。このコンテンツと、前記ユーザの位置情報及び経路情報とが共に保存され（Ｓ１１３０）、ユーザが要請するコンテンツが獲得される。
【００９５】
図１２は、図９の方法のうち、放送信号送出工程を示すフローチャートである。
【００９６】
図１２を参照すれば、前記ユーザの位置情報及び経路情報を基に、各地域別に前記コンテンツが区分される。（Ｓ１２００）
前記地域別に区分されたコンテンツは、ＤＭＢ放送信号に適する新たなコンテンツに変換され、この新たなコンテンツが前記ＤＭＢ放送信号にローディングされる（Ｓ１２１０）。ついで、前記ＤＭＢ放送信号が前記ユーザに送出され（Ｓ１２２０）、これによって要請されたテレマティックス・コンテンツがユーザに提供される。
【００９７】
本発明はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Read-Only Memory）、ＲＡＭ（Random-Access Memory）、ＣＤ＿ＲＯＭ、磁気テープ、フロッピー（登録商標）ディスク及び光データ保存装置などがあり、またキャリアウェーブ（例えば、インターネットを介した伝送）の形態で具現されるものも含む。
【００９８】
また、コンピュータで読み取り可能な記録媒体は、ネットワークに連結されたコンピュータシステムに分散され、分散方式でコンピュータで読み取り可能なコードでもって保存されて実行されうる。
【００９９】
以上のように、図面と明細書とで最適実施形態が開示された。ここで、特定の用語が使われたが、それらは、本発明を説明するための目的で使われたものであるだけであり、意味限定や特許請求の範囲に記載された本発明の範囲を制限するために使われたものではない。従って、本技術分野の当業者ならば、それらから多様な変形及び均等な他実施形態が可能であるという点を理解することが可能であろう。従って、本発明の真の技術的保護範囲は、特許請求の範囲の技術的思想によって決まるのである。
【図１】
2010511346.tif 000003
【図２】
2010511346.tif 000004
【図３】
2010511346.tif 000005
【図４】
2010511346.tif 000006
【図５】
2010511346.tif 000007
【図６】
2010511346.tif 000008
【図７】
2010511346.tif 000009
【図８】
2010511346.tif 000010
【図９】
2010511346.tif 000011
【図１０】
2010511346.tif 000012
【図１１】
2010511346.tif 000013
【図１２】
2010511346.tif 000014
【国際調査報告】
2010511346.tif 000015
2010511346.tif 000016